(57)【要約】【課題】指向性表示機能を持たせつつ表示の色純度を向上させることが可能な発光装置及び電子機器を提供すること。【解決手段】発光装置は、第１の画像を構成する光を第１の範囲３Ｌに射出し、第２の画像を構成する光を、第１の範囲３Ｌとは異なる範囲を含む第２の範囲３Ｒに射出する。発光装置は、発光素子を有して構成され、第１の画像を構成する光を射出する複数の画素Ｌと、発光素子を有して構成され、第２の画像を構成する光を射出する複数の画素Ｒと、画素Ｌ，Ｒの光射出側に配置された、赤系の色要素、緑系の色要素、青系の色要素３２ｂを含むカラーフィルタ３３と、を備える。青系の色要素３２ｂは、青系の画素４ｂ（Ｌ）から第１の範囲３Ｌに射出される光と、青系の画素４ｂ（Ｒ）から第２の範囲３Ｒに射出される光とがいずれも通過する領域の少なくとも一部に配置されている。赤系の色要素、緑形の色要素についても同様である。【選択図】図５
2009087622.tif 000002
【特許請求の範囲】
【請求項１】
第１の画像を構成する光を第１の範囲に射出し、第２の画像を構成する光を、前記第１の範囲とは異なる範囲を含む第２の範囲に射出する発光装置であって、
発光素子を有して構成され、前記第１の画像を構成する光を射出する複数の第１の画素と、
発光素子を有して構成され、前記第２の画像を構成する光を射出する複数の第２の画素と、
前記第１の画素及び前記第２の画素の光射出側に配置された、赤系の色要素、緑系の色要素、青系の色要素を含むカラーフィルタと、を備え、
前記複数の第１の画素及び前記複数の第２の画素は、それぞれ、赤系の色の光を射出する赤系画素と、緑系の色の光を射出する緑系画素と、青系の色の光を射出する青系画素と、を有しており、
前記赤系の色要素は、赤系の色の前記第１の画素から前記第１の範囲に射出される光と、赤系の色の前記第２の画素から前記第２の範囲に射出される光とがいずれも通過する領域の少なくとも一部に配置され、
前記緑系の色要素は、緑系の色の前記第１の画素から前記第１の範囲に射出される光と、緑系の色の前記第２の画素から前記第２の範囲に射出される光とがいずれも通過する領域の少なくとも一部に配置され、
前記青系の色要素は、青系の色の前記第１の画素から前記第１の範囲に射出される光と、青系の色の前記第２の画素から前記第２の範囲に射出される光とがいずれも通過する領域の少なくとも一部に配置されていることを特徴とする発光装置。
【請求項２】
請求項１に記載の発光装置であって、
前記第１の画素と前記第２の画素とが第１の方向に沿って交互に配列された画素行を有し、
前記赤系画素、前記緑系画素、前記青系画素は、前記第１の方向に沿ってこの順に繰り返し配列され、
前記青系の色要素、前記緑系の色要素、前記赤系の色要素は、前記第１の方向に沿ってこの順に繰り返し配列され、かつ前記画素行方向の配置ピッチが前記画素の前記画素行方向の配置ピッチの略２倍であり、
正面視で一の前記画素に重なる領域に配置される前記色要素は、前記一の画素とは対応する色が異なる前記色要素であることを特徴とする発光装置。
【請求項３】
請求項１又は２に記載の発光装置であって、
前記第１の画素及び前記第２の画素と、前記カラーフィルタとの間に配置され、前記第１の画素からの光を前記第１の範囲に通過させるとともに前記第２の画素からの光を前記第２の範囲に通過させる開口部を有する、遮光性の光学素子を備えることを特徴とする発光装置。
【請求項４】
請求項３に記載の発光装置であって、
前記開口部は、正面視で前記画素行方向に隣り合う前記色要素の境界領域を含む領域に設けられていることを特徴とする発光装置。
【請求項５】
請求項２に記載の発光装置であって、
前記第１の画素と前記第２の画素とが、前記画素行と交差する第２の方向に交互に配列されてなる画素列を複数有することを特徴とする発光装置。
【請求項６】
第１の画像を構成する光を第１の範囲に射出し、第２の画像を構成する光を、前記第１の範囲とは異なる範囲を含む第２の範囲に射出する発光装置であって、
発光素子を有して構成され、前記第１の画像を構成する光を射出する複数の第１の画素と、
発光素子を有して構成され、前記第２の画像を構成する光を射出する複数の第２の画素と、
前記第１の画素及び前記第２の画素の光射出側に配置された、第１の色の色要素、第２の色の色要素、第３の色の色要素を含むカラーフィルタと、を備え、
前記複数の第１の画素及び前記複数の第２の画素は、それぞれ、第１の色の光を射出する第１色画素と、第２の色の色の光を射出する第２色画素と、第３の色の光を射出する第３色画素と、を有しており、
前記第１の色の色要素は、前記第１の画素のうち前記第１色画素から前記第１の範囲に射出される光と、前記第２の画素のうち前記第１色画素から前記第２の範囲に射出される光とがいずれも通過する領域の少なくとも一部に配置され、
前記第２の色の色要素は、前記第１の画素のうち前記第２色画素から前記第１の範囲に射出される光と、前記第２の画素のうち前記第２色画素から前記第２の範囲に射出される光とがいずれも通過する領域の少なくとも一部に配置され、
前記第３の色の色要素は、前記第１の画素のうち前記第３色画素から前記第１の範囲に射出される光と、前記第２の画素のうち前記第３色画素から前記第２の範囲に射出される光とがいずれも通過する領域の少なくとも一部に配置されていることを特徴とする発光装置。
【請求項７】
請求項１から５のいずれか一項に記載の発光装置を表示部に備えることを特徴とする電子機器。
【発明の詳細な説明】
【技術分野】
【０００１】
本発明に係る一態様は、発光装置及び電子機器に関する。
【背景技術】
【０００２】
表示パネルの表面に、開口部を有する遮光性の光学素子を一定の距離をおいて重ねることで、複数の異なる画像（例えば第１の画像と第２の画像）を互いに異なる範囲に指向性表示できることが知られている（特許文献１）。これは、光学素子により、視角に応じて異なる画素がマスク（遮光）されること、換言すれば、視角に応じて異なる画素からの光が開口部を通して視認されることを利用したものである。
【０００３】
こうした指向性表示が可能な装置によれば、例えば、第１の画像と第２の画像とを異なる人物に同時に視認させることができる。あるいは、第１の画像を構成する光が左目に、第２の画像を構成する光が右目に入射するような構成とすれば、立体表示を行うことができる。
【０００４】
ここで、表示パネルとしては、照明装置からの光を変調することによって表示を行う液晶パネルや、有機ＥＬ（Electro Luminescence）パネル等の発光素子を備えた自発光型表示パネルを用いることができる。
【０００５】
【特許文献１】特許第３０９６６１３号公報
【発明の開示】
【発明が解決しようとする課題】
【０００６】
表示パネルに有機ＥＬ装置等の自発光型表示パネルを用いる構成においては、指向性表示機能を持たせつつ表示の色純度を向上させることが望まれている。さらには、より少ない構成要素で指向性表示機能と色純度向上とを両立させることが望まれている。
【課題を解決するための手段】
【０００７】
本発明は、上記課題の少なくとも一部を解決するためになされたものであり、以下の形態又は適用例として実現することが可能である。
【０００８】
［適用例１］第１の画像を構成する光を第１の範囲に射出し、第２の画像を構成する光を、前記第１の範囲とは異なる範囲を含む第２の範囲に射出する発光装置であって、発光素子を有して構成され、前記第１の画像を構成する光を射出する複数の第１の画素と、発光素子を有して構成され、前記第２の画像を構成する光を射出する複数の第２の画素と、前記第１の画素及び前記第２の画素の光射出側に配置された、赤系の色要素、緑系の色要素、青系の色要素を含むカラーフィルタと、を備え、前記複数の第１の画素及び前記複数の第２の画素は、それぞれ、赤系の色の光を射出する赤系画素と、緑系の色の光を射出する緑系画素と、青系の色の光を射出する青系画素と、を有しており、前記赤系の色要素は、赤系の色の前記第１の画素から前記第１の範囲に射出される光と、赤系の色の前記第２の画素から前記第２の範囲に射出される光とがいずれも通過する領域の少なくとも一部に配置され、前記緑系の色要素は、緑系の色の前記第１の画素から前記第１の範囲に射出される光と、緑系の色の前記第２の画素から前記第２の範囲に射出される光とがいずれも通過する領域の少なくとも一部に配置され、前記青系の色要素は、青系の色の前記第１の画素から前記第１の範囲に射出される光と、青系の色の前記第２の画素から前記第２の範囲に射出される光とがいずれも通過する領域の少なくとも一部に配置されている発光装置。
【０００９】
上記構成において、赤系の色の第１の画素から第１の範囲に射出された光のうち、赤系の色要素に入射した光は、当該色要素を透過して第１の画像を構成する。また、赤系の色の第２の画素から第２の範囲に射出された光のうち、赤系の色要素に入射した光は、当該色要素を透過して第２の画像を構成する。一方、赤系の第１の画素又は第２の画素から射出され、緑系又は青系の色要素に入射した光は、当該色要素によって吸収されるので表示に寄与しない。上記は、青系画素からの光、緑系画素からの光についても同様である。以上から、上記構成の発光装置は、赤系、緑系、青系の第１の画素からの光により構成される第１の画像を第１の範囲に表示することができ、赤系、緑系、青系の第２の画素からの光により構成される第２の画像を第２の範囲に表示することができる。ここで、これらの画像を構成する光は、いずれもカラーフィルタの色要素を透過しているため、発光素子から直接取り出される光と比較して色純度が高い。このため、上記構成の発光装置は、色再現性の高い、高品位な表示を行うことができる。
【００１０】
［適用例２］上記発光装置であって、前記第１の画素と前記第２の画素とが第１の方向に沿って交互に配列された画素行を有し、前記赤系画素、前記緑系画素、前記青系画素は、前記第１の方向に沿ってこの順に繰り返し配列され、前記青系の色要素、前記緑系の色要素、前記赤系の色要素は、前記第１の方向に沿ってこの順に繰り返し配列され、かつ前記画素行方向の配置ピッチが前記画素の前記画素行方向の配置ピッチの略２倍であり、正面視で一の前記画素に重なる領域に配置される前記色要素は、前記一の画素とは対応する色が異なる前記色要素である発光装置。
【００１１】
このような構成によれば、正面視で赤系の色要素に対して画素行方向に隣り合う領域の一方には赤系の第１の画素が配置され、他方には赤系の第２の画素が配置される。よって、この赤系の第１の画素から当該赤系の色要素に向かって斜めに（第１の範囲に）射出された光が、赤系の色要素を透過して第１の画像を構成する。また、上記赤系の第２の画素から当該赤系の色要素に向かって斜めに（第２の範囲に）射出された光が、赤系の色要素を透過して第２の画像を構成する。ここで、赤系の色要素の配置領域外には、緑系又は青系の色要素が配置されているため、赤系画素から射出され、赤系の色要素の配置領域外に入射した光は、緑系又は青系の色要素によってほとんど吸収されて表示に寄与しない。上記赤系の第１の画素、第２の画素から赤系の色要素に向かう斜めの方向はそれぞれ異なるため、第１の範囲と第２の範囲とは互いに異なる範囲を含むこととなり、指向性表示が行われる。
【００１２】
上記は、青系画素からの光、緑系画素からの光についても同様である。よって、上記構成の発光装置は、赤系、緑系、青系の第１の画素からの光により構成される第１の画像を第１の範囲に表示することができ、赤系、緑系、青系の第２の画素からの光により構成される第２の画像を第２の範囲に表示することができる。
【００１３】
本明細書において正面視とは、画素が配列された面の法線方向から見ること、又は当該面の法線上の一点から見ることをいう。
【００１４】
［適用例３］上記発光装置であって、前記第１の画素及び前記第２の画素と、前記カラーフィルタとの間に配置され、前記第１の画素からの光を前記第１の範囲に通過させるとともに前記第２の画素からの光を前記第２の範囲に通過させる開口部を有する、遮光性の光学素子を備える発光装置。
【００１５】
このような構成によれば、第１の画素から第１の範囲以外の方向に射出された光、及び第２の画素から第２の範囲以外の方向に射出された光の多くを、光学素子によって遮光することができる。これにより、第１の画像に第２の画素からの光が混入したり、第２の画像に第１の画素からの光が混入したりすることによる表示品位の低下を抑制することができる。
【００１６】
［適用例４］上記発光装置であって、前記開口部は、正面視で前記画素行方向に隣り合う前記色要素の境界領域を含む領域に設けられている発光装置。
【００１７】
このような構成によれば、開口部は、第１の画素からの光を、境界領域の一方に隣接する色要素の方向に通過させ、第２の画素からの光を、境界領域の他方に隣接する色要素の方向に通過させることができる。すなわち、第１の画素からの光、第２の画素からの光を互いに異なる色要素に入射させることができ、ひいては第１の画像及び第２の画像を互いに異なる２つの範囲に指向性表示することができる。
【００１８】
［適用例５］上記発光装置であって、前記第１の画素と前記第２の画素とが、前記画素行と交差する第２の方向に交互に配列されてなる画素列を複数有する発光装置。
【００１９】
このような構成によれば、第１の画素と第２の画素とが市松模様をなすように配置される。このとき、光学素子の開口部も市松模様をなすように配置され、また色要素の配置はいわゆるデルタ配列となる。こうした配置によれば、第１の画像及び第２の画像の解像度の低下を抑制することができる。
【００２０】
［適用例６］第１の画像を構成する光を第１の範囲に射出し、第２の画像を構成する光を、前記第１の範囲とは異なる範囲を含む第２の範囲に射出する発光装置であって、発光素子を有して構成され、前記第１の画像を構成する光を射出する複数の第１の画素と、発光素子を有して構成され、前記第２の画像を構成する光を射出する複数の第２の画素と、前記第１の画素及び前記第２の画素の光射出側に配置された、第１の色の色要素、第２の色の色要素、第３の色の色要素を含むカラーフィルタと、を備え、前記複数の第１の画素及び前記複数の第２の画素は、それぞれ、第１の色の光を射出する第１色画素と、第２の色の色の光を射出する第２色画素と、第３の色の光を射出する第３色画素と、を有しており、前記第１の色の色要素は、前記第１の画素のうち前記第１色画素から前記第１の範囲に射出される光と、前記第２の画素のうち前記第１色画素から前記第２の範囲に射出される光とがいずれも通過する領域の少なくとも一部に配置され、前記第２の色の色要素は、前記第１の画素のうち前記第２色画素から前記第１の範囲に射出される光と、前記第２の画素のうち前記第２色画素から前記第２の範囲に射出される光とがいずれも通過する領域の少なくとも一部に配置され、前記第３の色の色要素は、前記第１の画素のうち前記第３色画素から前記第１の範囲に射出される光と、前記第２の画素のうち前記第３色画素から前記第２の範囲に射出される光とがいずれも通過する領域の少なくとも一部に配置されている発光装置。
【００２１】
このような構成によれば、３色以上の光から構成される画像を、高い色再現性をもって指向性表示することが可能な電気光学装置が得られる。
【００２２】
［適用例７］上記発光装置を表示部に備える電子機器。
【００２３】
このような構成によれば、広い適視範囲を有する指向性表示が可能な電子機器が得られる。
【発明を実施するための最良の形態】
【００２４】
以下、図面を参照し、発光装置及び電子機器の実施形態について説明する。なお、以下に示す各図においては、各構成要素を図面上で認識され得る程度の大きさとするため、各構成要素の寸法や比率を実際のものとは適宜に異ならせてある。
【００２５】
（第１の実施形態）
図１は、第１の実施形態に係る発光装置としての有機ＥＬ装置１の構成を示す斜視図であり、図２は、図１中のＡ−Ａ線における断面図である。有機ＥＬ装置１は、カラーフィルタ基板３０と、素子基板１０と、封止基板２０とがこの順に積層された構成を有している。以下では、素子基板１０に対してカラーフィルタ基板３０側の方向を「観察側」とも呼び、カラーフィルタ基板３０とは反対側の方向を「背面側」とも呼ぶ。
【００２６】
図２に示すように、カラーフィルタ基板３０は、ガラス基板３１と、ガラス基板３１の背面側に形成されたカラーフィルタ３３とを有している。素子基板１０は、ガラス基板１１と、ガラス基板１１の背面側に形成された複数の発光素子１８とを有している。カラーフィルタ基板３０は、接着層３４を介して素子基板１０に貼り合わされている。封止基板２０は、封止基板２０の輪郭形状に略一致する枠状に配置されたシール剤１９を介して素子基板１０に貼り合わされている。したがって、素子基板１０上の発光素子１８は、ガラス基板１１、封止基板２０、シール剤１９によって密閉封止されている。有機ＥＬ装置１は、発光素子１８からの光によって、表示領域９（図１）において表示を行う。
【００２７】
図３（ａ）は、表示領域９における素子基板１０の平面図であり、図３（ｂ）は、表示領域９におけるカラーフィルタ基板３０の平面図である。この図は、有機ＥＬ装置１を観察側から、より詳しくは素子基板１０の法線方向から見た図である。図３（ａ），（ｂ）は、観察側から見て重なる同一の領域を切り出して示したものであり、有機ＥＬ装置１は、図３（ａ）の素子基板１０に、図３（ｂ）のカラーフィルタ基板３０が重ねられた構成を有している。
【００２８】
図３（ａ）に示すように、素子基板１０は、複数の行及び複数の列にわたってマトリクス状に配置された矩形の画素４ｒ，４ｇ，４ｂを有している。画素４ｒ，４ｇ，４ｂは、いずれも発光素子１８（図２）を備えている。画素４ｒ，４ｇ，４ｂは、発光素子１８の機能により、それぞれ赤系の色、緑系の色、青系の色の発光を行う（以下では、対応する色を区別しない場合には単に「画素４」とも呼ぶ）。ここで、赤系の色、緑系の色、青系の色は、例えば赤、緑、青である。画素４ｒ，４ｇ，４ｂは、それぞれ赤系画素、緑系画素、青系画素に対応する。画素４ｒ，４ｇ，４ｂは、第１の方向に沿ってこの順に繰り返し配置されて、画素行５を構成している。画素４は、画素行５に交差する第２の方向については、同一の色に対応する画素４が一列にストライプ状に並ぶように配置されて、画素列６を構成している。本実施形態では、画素列６の延在方向は、画素行５の延在方向に対して直交している。本明細書では、画素行５の延在方向をＸ軸、画素列６の延在方向をＹ軸と定義する。また、ＸＹ平面の法線方向をＺ軸と定義する。上記第１の方向はＸ軸の正方向に沿った方向であり、上記第２の方向はＹ軸の正方向に沿った方向である。
【００２９】
各画素４から射出される光は、第１の画像又は第２の画像のいずれかを構成する。第１の画像を構成する光を射出する画素４を画素Ｌ、第２の画像を構成する光を射出する画素４を画素Ｒとも呼ぶ。画素Ｌ，Ｒは、それぞれ第１の画素、第２の画素に対応する。上述した画素４ｒ，４ｇ，４ｂは、いずれも画素Ｌ又は画素Ｒのいずれか一方に該当する。また、複数の画素Ｌからなる画素群、複数の画素Ｒからなる画素群は、いずれも画素４ｒ，４ｇ，４ｂを含んでいる。画素Ｌ，Ｒは、画素行５に沿って交互に繰り返し配置されており、また画素列６に沿っては同一種が一列に並ぶようにストライプ状に配置されている。以下では、第１の画素（画素Ｌ）に対応する画素４を画素４（Ｌ）と表記し、第２の画素（画素Ｒ）に対応する画素４を画素４（Ｒ）と表記する。例えば、第１の画素に対応する青系の画素４ｂは、画素４ｂ（Ｌ）と表記する。
【００３０】
図３（ｂ）に示すように、カラーフィルタ基板３０に形成されたカラーフィルタ３３は、Ｙ方向に沿ったストライプ状の色要素３２ｒ，３２ｇ，３２ｂを有している（以下では、対応する色を区別しない場合には単に「色要素３２」とも呼ぶ）。色要素３２ｒ，３２ｇ，３２ｂは、それぞれ赤系、緑系、青系の色要素である。赤系の色要素３２ｒは、赤系の色の光を透過し、緑系及び青系の色の光を吸収する。緑系の色要素３２ｇは、緑系の色の光を透過し、青系及び赤系の色の光を吸収する。青系の色要素３２ｂは、青系の色の光を透過し、赤系及び緑系の色の光を吸収する。ここで、赤系の色、緑系の色、青系の色は、例えば赤、緑、青であるが、画素４が発光する光の色と正確に一致している必要はなく、同系色であればよい。
【００３１】
色要素３２ｂ，３２ｇ，３２ｒは、第１の方向（すなわちＸ軸の正方向）に沿ってこの順に繰り返し配列されている。ここで、色要素３２の色の繰り返し順序は、画素４の色の繰り返し順序とは逆になっている。また、色要素３２の画素行５方向の配置ピッチは、画素４の画素行５方向の配置ピッチの略２倍となっている。そして、正面視で、ある画素４に重なる領域に配置される色要素３２は、当該画素４とは対応する色が異なる色要素３２となっている。すなわち、正面視で画素４ｒに重なる領域には色要素３２ｇ又は色要素３２ｂが配置され、画素４ｇに重なる領域には色要素３２ｂ又は色要素３２ｒが配置され、画素４ｂに重なる領域には色要素３２ｒ又は色要素３２ｇが配置される。
【００３２】
ここで、「正面視」とは、画素４が配列された面の法線方向（すなわち素子基板１０の法線方向）から見ることをいう。より詳しくは、正面視とは、図２２（ａ）に示すように、有機ＥＬ装置１上の各点を上記法線方向から見ること、及び図２２（ｂ）に示すように、有機ＥＬ装置１上の各点を上記法線上の一点から見ること、のいずれをも含む概念である。したがって、「要素ｍと要素ｎが正面視で重なる」といった場合、図２２（ａ）の方式では、要素ｍと要素ｎをＸＹ平面に投影した際の位置が同一であることをいい、図２２（ｂ）の方式では、要素ｍを底面とし観察点を頂点とする仮想的な立体の内部に要素ｎが位置することをいう。本実施形態における「正面視」は、図２２（ｂ）の方式の正面視を指す。
【００３３】
図４は、有機ＥＬ装置１を、画素４を含む位置でＸＺ平面に沿って切断したときの断面図である。図４は、図２の一部を拡大した図でもある。この図を用いて、素子基板１０に形成された発光素子１８の構成について説明する。
【００３４】
素子基板１０に含まれるガラス基板１１の背面側には、回路素子層１２が形成されている。回路素子層１２は、発光素子１８を駆動させるためのＴＦＴ（Thin Film Transistor）素子、ＴＦＴ素子に駆動信号を印加するための走査線、データ線、及び容量素子等から構成される。回路素子層１２の背面側には、透光性を有するＩＴＯ（Indium Tin Oxide）からなる、陽極としての画素電極１４が画素４ごとに形成されている。画素電極１４は、図３（ａ）中の画素４と略同形の矩形状に形成される。画素電極１４の周囲には、樹脂等からなるバンク１３が形成されている。バンク１３は、図３（ａ）において画素４を区画している格子状の領域に形成される。バンク１３と画素電極１４との間には、無機物質からなる第２のバンクがさらに形成されていてもよい。画素電極１４とバンク１３によって、画素電極１４を底部とし、バンク１３を側壁とする凹部が構成される。
【００３５】
バンク１３によって区画された上記凹部には、発光層１５が形成されている。画素４ｒ，４ｇ，４ｂには、それぞれ赤系、緑系、青系の色の光を発する発光層１５が形成される。発光層１５は、有機発光層を含んで構成される。発光層１５には、有機発光層の他に、正孔輸送層、正孔注入層、電子輸送層、電子注入層等の各種機能層がさらに含まれていてもよい。発光層１５及びバンク１３の背面側の略全面には、ＭｇＡｇ等の金属からなる陰極１６が形成されている。
【００３６】
陰極１６と画素電極１４との間に駆動電圧が印加されると、発光層１５に駆動電流が流れる。発光層１５は、当該駆動電流の大きさに応じた輝度の発光を行う。発光層１５からの光の一部は、観察側に進行して有機ＥＬ装置１の表示に寄与し、一部は背面側に進行して陰極１６によって反射され、その後観察側に進行して有機ＥＬ装置１の表示に寄与する。このように、発光層１５からの光は、いずれもガラス基板１１側に射出される。このような構成は、ボトムエミッション型と呼ばれる。
【００３７】
発光素子１８は、画素電極１４、発光層１５、陰極１６を含む要素によって構成される。発光素子１８は、封止基板２０及びシール剤１９（図２）によって封止されている。これにより、外部からのガスや水分の浸入に起因する発光素子１８の劣化を防止することができる。陰極１６の背面側に、さらに封止層が設けられていてもよい。
【００３８】
上述した画素４（画素Ｌ，Ｒ）は、発光素子１８を有して構成される。個々の画素４が占める領域は、平面的にはバンク１３に囲まれた矩形領域であり、図４の断面図においては例えば回路素子層１２から陰極１６までを含む領域である。あるいは、画素電極１４から陰極１６までを画素４と定義してもよい。画素４は、発光素子１８から発光された光を観察側に射出する。カラーフィルタ３３は、画素４の光射出側に配置されており、画素４から射出された光は、カラーフィルタ３３に含まれるいずれかの色要素３２に入射する。
【００３９】
図５は、３色の画素４のうち画素４ｂによる指向性表示の原理を示す模式図である。この図においては、有機ＥＬ装置１のうち、画素４とカラーフィルタ３３を除く要素は省略されている。
【００４０】
画素４ｂ（Ｌ）から射出された青系の色の光は、カラーフィルタ３３に入射する。このうち、色要素３２ｂに入射した光は、色要素３２ｂを透過して、第１の範囲３Ｌに射出される。第１の範囲３Ｌに射出される光の光路の範囲は、図５において２点鎖線で示されている（以下の各図においても同様）。一方、その他の色要素３２（色要素３２ｒ，３２ｇ）に入射した光は、その色要素３２によって吸収されるため、カラーフィルタ３３の観察側にはほとんど透過しない。
【００４１】
同様に、画素４ｂ（Ｒ）から射出された青系の色の光のうち、色要素３２ｂに入射した光は、色要素３２ｂを透過して、第２の範囲３Ｒに射出される。第２の範囲３Ｒに射出される光の光路の範囲は、図５において実線で示されている（以下の各図においても同様）。一方、その他の色要素３２（色要素３２ｒ，３２ｇ）に入射した光は、その色要素３２によって吸収され、カラーフィルタ３３の観察側にはほとんど透過しない。
【００４２】
このように、画素４ｂから射出された青系の色の光に対しては、色要素３２ｒ，３２ｇは遮光部材として機能するため、射出光の進行する範囲が制限される。そして、色要素３２ｂから見て、画素４ｂ（Ｌ）及び画素４ｂ（Ｒ）の位置が互いに異なるため、画素４ｂ（Ｌ）、画素４ｂ（Ｒ）から色要素３２ｂを透過して射出される光の進行方向は互いに異なる。すなわち、画素４ｂ（Ｌ）からの光は第１の範囲３Ｌに射出され、画素４ｂ（Ｒ）からの光は、第１の範囲３Ｌとは異なる範囲を含む第２の範囲３Ｒに射出される。こうして、画素４ｂ（Ｌ）、画素４ｂ（Ｒ）とカラーフィルタ３３との組み合わせによる指向性表示が行われる。
【００４３】
別の観点では、青系の色要素３２ｂは、画素４ｂ（Ｌ）から第１の範囲３Ｌに射出される光と、画素４ｂ（Ｒ）から第２の範囲３Ｒに射出される光とがいずれも通過する領域の少なくとも一部に配置されている。すなわち、画素４ｂ（Ｌ）、画素４ｂ（Ｒ）からの光が到達すべき第１の範囲３Ｌ、第２の範囲３Ｒをあらかじめ設定した上で、上記の条件を満たす領域に色要素３２ｂを配置することにより、所望の指向性表示を実現することができる。
【００４４】
以上、画素４ｂによる指向性表示の原理を説明したが、画素４ｇ、画素４ｒによる指向性表示の原理もこれと同様である。図６は、画素４ｇによる指向性表示の原理を示す模式図である。画素４ｇから射出された緑系の色の光に対しては、色要素３２ｂ，３２ｒは遮光部材として機能するため、画素４ｇから射出された光は色要素３２ｇのみを透過する。このように光の進行する範囲が制限される結果、画素４ｇ（Ｌ）からの光は第１の範囲３Ｌに射出され、画素４ｇ（Ｒ）からの光は、第１の範囲３Ｌとは異なる範囲を含む第２の範囲３Ｒに射出される。こうして、画素４ｇ（Ｌ）、画素４ｇ（Ｒ）とカラーフィルタ３３との組み合わせによる指向性表示が行われる。
【００４５】
別の観点では、緑系の色要素３２ｇは、画素４ｇ（Ｌ）から第１の範囲３Ｌに射出される光と、画素４ｇ（Ｒ）から第２の範囲３Ｒに射出される光とがいずれも通過する領域の少なくとも一部に配置されている。すなわち、画素４ｇ（Ｌ）、画素４ｇ（Ｒ）からの光が到達すべき第１の範囲３Ｌ、第２の範囲３Ｒをあらかじめ設定した上で、上記の条件を満たす領域に色要素３２ｇを配置することにより、所望の指向性表示を実現することができる。
【００４６】
図７は、画素４ｒによる指向性表示の原理を示す模式図である。画素４ｒから射出された赤系の色の光に対しては、色要素３２ｇ，３２ｂは遮光部材として機能するため、画素４ｒから射出された光は色要素３２ｒのみを透過する。このように光の進行する範囲が制限される結果、画素４ｒ（Ｌ）からの光は第１の範囲３Ｌに射出され、画素４ｒ（Ｒ）からの光は、第１の範囲３Ｌとは異なる範囲を含む第２の範囲３Ｒに射出される。こうして、画素４ｒ（Ｌ）、画素４ｒ（Ｒ）とカラーフィルタ３３との組み合わせによる指向性表示が行われる。
【００４７】
別の観点では、赤系の色要素３２ｒは、画素４ｒ（Ｌ）から第１の範囲３Ｌに射出される光と、画素４ｒ（Ｒ）から第２の範囲３Ｒに射出される光とがいずれも通過する領域の少なくとも一部に配置されている。すなわち、画素４ｒ（Ｌ）、画素４ｒ（Ｒ）からの光が到達すべき第１の範囲３Ｌ、第２の範囲３Ｒをあらかじめ設定した上で、上記の条件を満たす領域に色要素３２ｒを配置することにより、所望の指向性表示を実現することができる。
【００４８】
このように、画素４ｒ，４ｇ，４ｂからの光が指向性を有して射出される結果、有機ＥＬ装置１は、第１の画像を構成する光を第１の範囲３Ｌに射出し、第２の画像を構成する光を、第１の範囲３Ｌとは異なる範囲を含む第２の範囲３Ｒに射出する。すなわち、第１の画像と第２の画像とを互いに異なる方向に表示することができる。ここで、第１の画像及び第２の画像は、いずれもカラー画像とすることができる。また、画素４ｒ，４ｇ，４ｂからの光は、それぞれ色要素３２ｒ，３２ｇ，３２ｂを透過して有機ＥＬ装置１から射出されるため、画素４（発光素子１８）から色要素３２を経ずに直接光を取り出す場合と比較して色純度を高めることができる。
【００４９】
図８は、３色の画素４から射出される光のうち表示に寄与する光の代表的な光路を示す模式図である。図８における視点ＶＬは、図５から図７における第１の範囲３Ｌの略中心に位置する点であり、視点ＶＲは、第２の範囲３Ｒの略中心に位置する点である。この図によれば、視点ＶＬからは画素４ｒ（Ｌ），４ｇ（Ｌ），４ｂ（Ｌ）による表示が視認され、視点ＶＲからは画素４ｒ（Ｒ），４ｇ（Ｒ），４ｂ（Ｒ）による表示が視認されることがわかる。視点ＶＬ，ＶＲに異なる人物を位置させれば、これらの人物に異なる画像を視認させることができる。また、視点ＶＬと視点ＶＲとの間の距離を小さくし、それぞれの視点に左目及び右目が位置するように構成すれば、立体画像を視認させることができる。ここで、視点ＶＬと視点ＶＲとの間の距離を小さくするためには、画素４とカラーフィルタ３３とのＺ方向の距離を大きくすればよい。画素４とカラーフィルタ３３との距離を調整するためには、例えば、素子基板１０に含まれるガラス基板１１の厚さをエッチング等によって変更すればよい。このように、ガラス基板１１の厚さを変えることで、視点ＶＬと視点ＶＲとの間の距離を制御することができる。
【００５０】
なお、図８において、視点ＶＬ，ＶＲの中間に位置する視点ＶＣは、上述した「正面視」の際の視点に相当する。視点ＶＣから見た場合（正面視）には、上述のとおり、ある画素４に重なる領域に配置される色要素３２は、その画素４とは対応する色が異なる色要素３２となっている。すなわち、視点ＶＣと画素４とを結ぶ線分上には、当該画素４とは異なる色の色要素３２が位置している。これにより、視点ＶＣでは画素Ｌ，Ｒのいずれによる表示も視認しにくくなっており、観察位置を視点ＶＬ又は視点ＶＲに近付けることによって、画素Ｌ又は画素Ｒによる指向性表示を視認することができる。正面視で上記の条件を満たす構成となるようにするため、色要素３２のＸ方向の配置ピッチは、画素４の配置ピッチの２倍より小さくなっている。
【００５１】
図８では、説明の便宜上、カラーフィルタ３３の近傍に視点ＶＬ，ＶＲを設定して描いている。しかしながら、実際には視点ＶＬ，ＶＲとカラーフィルタ３３との距離は、色要素３２の配置ピッチに対して例えば１０００倍以上となり、かなり大きくなる。したがって、画素４及びカラーフィルタ３３を微視的に観察した場合には、図９に示すように、画素４から射出される光のうち表示に寄与する光の代表的な光路は、互いに略平行となる。
【００５２】
図９においては、正面視の際の視点の位置（図８における視点ＶＣ）は、カラーフィルタ３３に対して無限遠方に近似される。よって、この図では、Ｚ軸正方向から見た平面視での構成要素の相対的な位置関係が、そのまま正面視での各構成要素の相対的な位置関係となる。この図からわかるように、正面視で赤系の色要素３２ｒに対してＸ方向に隣り合う領域の一方には画素４ｒ（Ｌ）が配置され、他方には画素４ｒ（Ｒ）が配置されている。画素４ｒ（Ｌ）から色要素３２ｒに向かって斜めに（第１の範囲３Ｌに）射出された光が、色要素３２ｒを透過して第１の画像を構成する。また、画素４ｒ（Ｒ）から色要素３２ｒに向かって斜めに（第２の範囲３Ｒに）射出された光が、色要素３２ｒを透過して第２の画像を構成する。画素４ｒ（Ｌ），４ｒ（Ｒ）から色要素３２ｒに向かう斜めの方向はそれぞれ異なるため、第１の範囲３Ｌと第２の範囲３Ｒとは互いに異なる範囲を含むこととなり、指向性表示が行われる。また、この図から、色要素３２のＸ方向の配置ピッチが、画素４のＸ方向の配置ピッチの略２倍となっていることがわかる。また、正面視で、ある画素４に重なる領域には、当該画素４とは異なる色の色要素３２が位置していることがわかる。
【００５３】
以上に説明したように、本実施形態の有機ＥＬ装置１によれば、第１の画像と第２の画像とを異なる範囲に指向性表示することができる。ここで、これらの画像を構成する光は、いずれもカラーフィルタ３３の色要素３２を透過しているため、発光素子１８から直接取り出される光と比較して色純度が高い。このため、有機ＥＬ装置１は、色再現性の高い、高品位な表示を行うことができる。また、色要素３２が指向性表示のための遮光部材の役割も果たすため、有機ＥＬ装置１に別途遮光性の光学部材を形成する必要がない。このため、より少ない構成要素で指向性表示機能と色純度向上とを両立させることができる。
【００５４】
＜第１の実施形態の変形例＞
第１の実施形態の有機ＥＬ装置１は、ボトムエミッション型を採用したものであるが、これに代えてトップエミッション型の構成としてもよい。図１０（ａ）は、トップエミッション型を採用した場合の有機ＥＬ装置１のＸＺ平面に沿った断面図であり、図１１は、図１０（ａ）の拡大図である。図１０（ａ）に示すように、素子基板１０は、ガラス基板１１と、ガラス基板１１の観察側に形成された複数の発光素子１８とを有している。封止基板２０は、シール剤１９を介して素子基板１０の観察側に貼り合わされている。カラーフィルタ基板３０は、接着層３４を介して封止基板２０の観察側に貼り合わされている。
【００５５】
図１１に示すように、ガラス基板１１の観察側に回路素子層１２が積層され、また回路素子層１２の観察側に、画素電極１４、発光層１５、陰極１６がこの順に積層されている。ここで、画素電極１４の背面側（又は回路素子層１２の内部）には、図示しない反射膜が形成されている。また、陰極１６は、金属を薄く形成することによってハーフミラー状となっている。こうした構成によれば、発光層１５からの光の一部は、観察側に進行して陰極１６を透過し、有機ＥＬ装置１の表示に寄与する。また、発光層１５から背面側に進行した光、及び陰極１６によって反射して背面側に進行した光は、上記反射膜によって反射され、その後観察側に進行して陰極１６を透過し、有機ＥＬ装置１の表示に寄与する。このように、発光層１５からの光は、いずれもガラス基板１１とは反対側に射出される。このような構成は、トップエミッション型と呼ばれる。なお、画素４、色要素３２等の構成要素の正面視での配置は、上記実施形態と同様である。こうした構成によっても、第１の画像と第２の画像とを、高い色純度で、異なる範囲に指向性表示することができる。
【００５６】
なお、第１の実施形態及び変形例は、発光素子１８を封止基板２０及びシール剤１９によって封止する構成であるが、これに代えて、例えば図１０（ｂ）に示すように、素子基板１０に樹脂等からなる封止層２２を積層させることによって封止してもよい。この場合は、封止基板２０が不要となり、有機ＥＬ装置１の厚さ及び重量を低減させることができる。また、封止層２２の厚さを変更することで、画素４とカラーフィルタ３３との間の距離を変えることができ、ひいては指向性表示の範囲３Ｌ，３Ｒ（図５等）を変えることができる。
【００５７】
（第２の実施形態）
続いて、第２の実施形態について説明する。第２の実施形態の有機ＥＬ装置１は、開口部を有する光学素子を備える点が第１の実施形態と異なっており、その他の点は第１の実施形態と同様である。このため、以下では相違点を中心に説明する。
【００５８】
図１２は、第２の実施形態に係る発光装置としての有機ＥＬ装置１の構成を示す斜視図であり、図１３は、図１２中のＢ−Ｂ線における断面図である。有機ＥＬ装置１は、カラーフィルタ基板３０と、マスク基板４０と、素子基板１０と、封止基板２０とがこの順に積層された構成を有している。
【００５９】
図１３に示すように、マスク基板４０は、ガラス基板４１と、ガラス基板４１の背面側に形成された、開口部４２Ａを有する遮光性の光学素子４２を備えている。マスク基板４０は、接着層４４を介して素子基板１０に貼り合わされている。カラーフィルタ基板３０は、接着層３４を介してマスク基板４０に貼り合わされている。したがって、光学素子４２は、画素４と、カラーフィルタ３３との間に配置されている（図１５）。封止基板２０は、シール剤１９を介して素子基板１０の背面側に貼り合わされている。
【００６０】
図１４（ａ）から（ｃ）は、それぞれ表示領域９における素子基板１０、マスク基板４０、カラーフィルタ基板３０の平面図である。この図は、有機ＥＬ装置１を観察側から、より詳しくは素子基板１０の法線方向から見た図である。図１４（ａ）から（ｃ）は、観察側から見て重なる同一の領域を切り出して示したものであり、有機ＥＬ装置１は、図１４（ａ）の素子基板１０に、図１４（ｂ）のマスク基板４０、図１４（ｃ）のカラーフィルタ基板３０が順に重ねられた構成を有している。また、図１５は、有機ＥＬ装置１を、画素４を含む位置でＸＺ平面に沿って切断したときの断面図である。図１５は、図１３の一部を拡大した図でもある。
【００６１】
図１４（ｂ）に示すように、光学素子４２は、Ｙ方向に沿ってストライプ状に設けられた開口部４２Ａを有しており、開口部４２Ａにおいては、光が通過するようになっている。図１４（ｂ）中の網掛け部は、光学素子４２の配置領域を表している。光学素子４２は、黒色の樹脂や金属等の遮光性の部材から構成することができる。図１４（ｂ），（ｃ）、図１５からわかるように、開口部４２Ａは、正面視で隣り合う色要素３２の境界領域を含む領域に設けられている。上記境界領域は、より詳しくは、画素行５方向（Ｘ方向）に隣り合う色要素３２の境界領域である。したがって、開口部４２Ａは、正面視で画素行５方向（Ｘ方向）に隣り合う画素４の１つおきの境界領域を含む領域に設けられている。よって、開口部４２Ａの画素行５方向の配置ピッチは、画素４の画素行５方向の配置ピッチの略２倍となっている。
【００６２】
続いて、以上のような構成の有機ＥＬ装置１による指向性表示の原理について説明する。図１６は、３色の画素４のうち画素４ｂによる指向性表示の原理を示す模式図である。この図においては、有機ＥＬ装置１のうち、画素４、光学素子４２及びカラーフィルタ３３を除く要素は省略されている。
【００６３】
画素４ｂ（Ｌ）から射出された青系の色の光は、光学素子４２又はその開口部４２Ａに入射する。このうち、光学素子４２に入射した光は、光学素子４２によって遮光され、表示に寄与しない。一方、開口部４２Ａに入射した光は、開口部４２Ａを観察側に通過してカラーフィルタ３３に入射する。ここで、開口部４２Ａを通過した光の光路上の少なくとも一部には、青系の色要素３２ｂが配置されており、この色要素３２ｂに入射した光は、色要素３２ｂを透過して、第１の範囲３Ｌに射出される。すなわち、本実施形態における第１の範囲３Ｌは、開口部４２Ａを通過した光の進行方向の範囲のうち、さらに色要素３２ｂを通過した光が進行する範囲である。また、色要素３２ｒ又は色要素３２ｇに入射した光は、その色要素３２ｒ，３２ｇによって吸収されるため、カラーフィルタ３３の観察側にはほとんど透過しない。
【００６４】
上記は、画素４ｂ（Ｒ）についても同様であり、画素４ｂ（Ｒ）から射出された青系の色の光のうち、開口部４２Ａ、色要素３２ｂを順に透過した光が第２の範囲３Ｒに射出される。その他の光は、光学素子４２又は色要素３２ｒ，３２ｇによって遮光されるため、観察側にはほとんど透過しない。
【００６５】
このように、画素４ｂから射出された青系の色の光は、まず光学素子４２によって一部が遮光され、射出光の進行する範囲が制限される。すなわち、光学素子４２の開口部４２Ａは、画素４ｂ（Ｌ）からの光を少なくとも第１の範囲３Ｌに通過させるとともに画素４ｂ（Ｒ）からの光を少なくとも第２の範囲３Ｒに通過させる。さらに、開口部４２Ａを通過した青系の色の光に対しては、色要素３２ｒ，３２ｇは遮光部材として機能するため、射出光の進行する範囲がさらに制限される。こうして、画素４ｂ（Ｌ）、画素４ｂ（Ｒ）と光学素子４２及びカラーフィルタ３３との組み合わせによる指向性表示が行われる。このような構成によれば、画素４ｂ（Ｌ）から第１の範囲３Ｌ以外の方向に射出された光、及び画素４ｂ（Ｒ）から第２の範囲３Ｒ以外の方向に射出された光の多くを、光学素子４２によって遮光することができる。これにより、第１の画像に画素４ｂ（Ｒ）からの光が混入したり、第２の画像に画素４ｂ（Ｌ）からの光が混入したりすることによる表示品位の低下を抑制することができる。
【００６６】
別の観点では、青系の色要素３２ｂは、画素４ｂ（Ｌ）から第１の範囲３Ｌに射出される光と、画素４ｂ（Ｒ）から第２の範囲３Ｒに射出される光とがいずれも通過する領域の少なくとも一部に配置されている。また、開口部４２Ａは、画素４ｂ（Ｌ），４ｂ（Ｒ）と色要素３２ｂとの間の領域の少なくとも一部に配置されている。すなわち、画素４ｂ（Ｌ）、画素４ｂ（Ｒ）からの光が到達すべき第１の範囲３Ｌ、第２の範囲３Ｒをあらかじめ設定した上で、上記の条件を満たす領域に色要素３２ｂ及び開口部４２Ａを配置することにより、所望の指向性表示を実現することができる。
【００６７】
以上、画素４ｂによる指向性表示の原理を説明したが、画素４ｇ、画素４ｒによる指向性表示の原理もこれと同様である。このように、画素４ｒ，４ｇ，４ｂからの光が指向性を有して射出される結果、有機ＥＬ装置１は、第１の画像を構成する光を第１の範囲３Ｌに射出し、第２の画像を構成する光を、第１の範囲３Ｌとは異なる範囲を含む第２の範囲３Ｒに射出する。すなわち、第１の画像と第２の画像とを互いに異なる方向に表示することができる。
【００６８】
図１７は、３色の画素４から射出される光のうち表示に寄与する光の代表的な光路を示す模式図である。この図によれば、視点ＶＬからは画素４ｒ（Ｌ），４ｇ（Ｌ），４ｂ（Ｌ）による表示が視認され、視点ＶＲからは画素４ｒ（Ｒ），４ｇ（Ｒ），４ｂ（Ｒ）による表示が視認されることがわかる。
【００６９】
また、光学素子４２の開口部４２Ａが、正面視で色要素３２の境界領域を含む領域に設けられていることにより、画素Ｌから開口部４２Ａを通過した光と、画素Ｒから同一の開口部４２Ａを通過した光とが、異なる色の色要素３２に入射するようになっている。さらに、色要素３２の色と、当該色要素３２に入射する光の色とが同系色となるため、色要素３２を透過する光の色純度が高くなる。これにより、有機ＥＬ装置１に指向性表示機能をもたせながら射出光の色純度を高めることができる。
【００７０】
また、図１７における「正面視」の際の視点ＶＣから見ると、上述のとおり、開口部４２Ａは、画素行５方向（Ｘ方向）に隣り合う色要素３２の境界領域を含む領域に設けられていることがわかる。すなわち、視点ＶＣと、各色要素３２の境界領域とを結ぶ線分上に、開口部４２Ａが設けられている。
【００７１】
図１８は、画素４、光学素子４２及びカラーフィルタ３３を微視的に観察した場合に、画素４から射出される光のうち表示に寄与する光の代表的な光路を示す図である。図１８においては、正面視の際の視点の位置（図１７における視点ＶＣ）は、カラーフィルタ３３に対して無限遠方に近似される。よって、この図では、Ｚ軸正方向から見た構成要素の相対的な位置関係が、そのまま正面視での各構成要素の相対的な位置関係となる。この図から、開口部４２ＡのＸ方向の配置ピッチが、画素４のＸ方向の配置ピッチの略２倍となっていることがわかる。また、開口部４２Ａが、正面視でＸ方向に隣り合う色要素３２の境界領域を含む領域に設けられていること、及び正面視でＸ方向に隣り合う画素４の１つおきの境界領域を含む領域に設けられていることが示されている。
【００７２】
以上に説明したように、有機ＥＬ装置１は、第１の画像と第２の画像とを異なる範囲に指向性表示することができる。ここで、光学素子４２を有する本実施形態の構成によれば、画素Ｌから第１の範囲３Ｌ以外の方向に射出された光、及び画素Ｒから第２の範囲３Ｒ以外の方向に射出された光の多くを、光学素子４２によって遮光することができる。これにより、第１の画像に画素Ｒからの光が混入したり、第２の画像に画素Ｌからの光が混入したりすることによる表示品位の低下を抑制することができる。
【００７３】
＜第２の実施形態の変形例＞
第２の実施形態の有機ＥＬ装置１は、ボトムエミッション型を採用したものであるが、これに代えてトップエミッション型の構成としてもよい。図１９（ａ）は、トップエミッション型を採用した場合の有機ＥＬ装置１のＸＺ平面に沿った断面図である。この図において、素子基板１０は、ガラス基板１１と、ガラス基板１１の観察側に形成された複数の発光素子１８とを有している。封止基板２０は、シール剤１９を介して素子基板１０の観察側に貼り合わされている。封止基板２０の観察側には、接着層４４を介してマスク基板４０が貼り合わされており、マスク基板４０の観察側には、接着層３４を介してカラーフィルタ基板３０が貼り合わされている。こうした構成によっても、第１の画像と第２の画像とを、高い色純度で、異なる範囲に指向性表示することができる。
【００７４】
なお、第２の実施形態及び変形例は、発光素子１８を封止基板２０及びシール剤１９によって封止する構成であるが、これに代えて、例えば図１９（ｂ）に示すように、素子基板１０に樹脂等からなる封止層２２を積層させることによって封止してもよい。この場合は、封止基板２０が不要となり、有機ＥＬ装置１の厚さ及び重量を低減させることができる。また、封止層２２の厚さを変更することで、画素４と光学素子４２との間の距離を変えることができ、ひいては指向性表示の範囲３Ｌ，３Ｒ（図１６）を変えることができる。
【００７５】
（第３の実施形態）
続いて、第３の実施形態について説明する。第３の実施形態の有機ＥＬ装置１は、光学素子４２の開口部４２Ａが市松模様をなすように配置されている点と、画素Ｌ，Ｒ及び色要素３２の配置が第２の実施形態と異なっており、その他の点は第２の実施形態と同様である。
【００７６】
図２０（ａ）から（ｃ）は、それぞれ第３の実施形態に係る有機ＥＬ装置１の、表示領域９における素子基板１０、マスク基板４０、カラーフィルタ基板３０の平面図である。
【００７７】
図２０（ａ）に示すように、本実施形態では、画素Ｌ，Ｒが、画素行５方向について交互に配列されているとともに、画素行５と交差する第２の方向（Ｙ方向）についても交互に配列されている。したがって、画素Ｌ，Ｒは、Ｙ方向に沿って交互に配列されて画素列６を構成している。
【００７８】
図２０（ｂ）に示すように、光学素子４２の開口部４２Ａは矩形であり、正面視で画素行５のうち画素Ｌと画素Ｒとの境界領域の少なくとも一部を含む領域に形成されている。より詳しくは、開口部４２Ａは、正面視で画素行５の画素Ｌと画素Ｒとの境界領域のうち１つおきの境界領域を含む領域に設けられている。また、開口部４２Ａは、正面視で当該開口部４２Ａに対してＸ軸の正方向に画素Ｒが、またＸ軸の負方向に画素Ｌが位置するような領域に形成されている。そして、画素Ｌ，ＲがＹ方向に沿って交互に配置されている結果、開口部４２ＡもＹ方向に沿った方向については、１つおきの画素行５に配置されている。以上から、開口部４２Ａは、市松模様をなすように、チェック状に、又はモザイク状に配置されている。
【００７９】
また、色要素３２は、第２の実施形態と同様に、例えば正面視で赤系の色要素３２ｒに対してＸ軸の正方向に隣り合う領域には画素４ｒ（Ｌ）が配置され、負方向に隣り合う領域には画素４ｒ（Ｒ）が配置されるようになっている。緑系の色要素３２ｇ、青系の色要素３２ｂについても同様である。ここで、画素Ｌ，Ｒ及び開口部４２Ａが上記のような配置となるため、カラーフィルタ基板３０の色要素３２は、配置図２０（ｃ）に示すようにデルタ配列となる。より詳しくは、いずれの画素行５においても、Ｘ軸の正方向に沿って色要素３２ｂ，３２ｇ，３２ｒが繰り返し配列されており、また上下に隣り合う画素行５の間で、色要素３２の繰り返し最小単位の配置ピッチが半ピッチずつずれている。ここで、色要素３２の繰り返し最小単位とは、隣り合う３つの色要素３２ｂ，３２ｇ，３２ｒからなるブロックをいう。また、各色要素３２のＸ方向の幅は、画素４のＸ方向の幅の略２倍である。
【００８０】
このような配置によれば、色要素３２のそれぞれは、当該色要素３２と同系の色の画素Ｌから第１の範囲３Ｌに射出される光と、上記同系の色の画素Ｒから第２の範囲３Ｒに射出される光とがいずれも通過する領域の少なくとも一部に配置される。また、正面視で、ある画素４に重なる領域には、その画素４とは対応する色が異なる色要素３２が配置される。したがって、第１又は第２の実施形態と同様の原理により指向性表示を行うことができる。
【００８１】
図２１（ａ），（ｂ）は、それぞれ図２０（ａ）中のＣ−Ｃ線、Ｄ−Ｄ線の位置における各画素４からの光路を示す模式図である。この図に示すように、画素行５ごとに画素Ｌ，Ｒの位置、及び開口部４２Ａの位置が反転するが、結果として図２１（ａ），（ｂ）いずれも、視点ＶＬにおいては画素Ｌによる第１の画像が視認され、視点ＶＲにおいては画素Ｒによる第２の画像が視認される。
【００８２】
図２０（ａ）のように開口部４２Ａを市松模様をなすように配置することにより、ストライプ状の開口部４２Ａ（図１４（ｂ））の場合と比較して、第１の画像及び第２の画像の解像度を向上させることができる。これは、対応する色及び表示する画像について同一の作用をもつ２つの画素４の最小相対距離（例えばある画素４ｒ（Ｌ）と、これに最も近い画素４ｒ（Ｌ）との距離）が近くなるためである。
【００８３】
なお、第３の実施形態は、第１の実施形態と組み合わせてもよい。すなわち、上記第３の実施形態の構成からマスク基板４０を除去した構成としてもよい。この場合には、デルタ配列の色要素３２を有するカラーフィルタ３３の機能により指向性表示が実現される。
【００８４】
（電子機器）
上述した有機ＥＬ装置１は、例えば、図２３に示すような電子機器としてのカーナビゲーションシステム用の表示装置１００に搭載して用いることができる。この表示装置１００は、表示部１１０に組み込まれた有機ＥＬ装置１によって、２つの画像を異なる範囲に指向性表示することができる。例えば、運転席側に地図の画像を表示するとともに、助手席側に映画の画像を表示することができる。その際、色再現性の高い、高品位な表示を行うことができる。
【００８５】
なお、有機ＥＬ装置１は、上記表示装置１００の他、モバイルコンピュータ、デジタルカメラ、デジタルビデオカメラ、車載機器、オーディオ機器等の各種電子機器に用いることができる。
【００８６】
上記実施形態に対しては、様々な変形を加えることが可能である。変形例としては、例えば以下のようなものが考えられる。
【００８７】
（変形例１）
ガラス基板１１，３１，４１及び封止基板２０は、ガラスに代えて、石英を用いてもよく、又は樹脂等の有機材料から構成してもよい。特に、カラーフィルタ３３と画素４との間にガラス基板１１，４１又は封止基板２０が位置する構成では、これらのガラス基板１１，４１又は封止基板２０は例えばラミネートフィルムに置き換えることができ、こうした構成によれば、カラーフィルタ３３と画素４との間の距離を容易に小さくすることができる。
【００８８】
（変形例２）
赤系の色は、純粋な赤の色相に限定されず、橙等を含む。緑系の色は、純粋な緑の色相に限定されず、青緑や黄緑を含む。青系の色は、純粋な青の色相に限定されず、青紫や青緑等を含む。他の観点から、赤系の色の光は、光の波長のピークが、可視光領域で５７０ｎｍ以上の範囲にある光であると定義され得る。緑系の色の光は、光の波長のピークが５００ｎｍ〜５６５ｎｍの範囲にある光であると定義され得る。青系の色の光は、光の波長のピークが４１５ｎｍ〜４９５ｎｍの範囲にある光であると定義され得る。同様に、赤系の色要素３２ｒは、透過光の波長のピークが、可視光領域で５７０ｎｍ以上の範囲にある色要素であると定義され得る。緑系の色要素３２ｇは、透過光の波長のピークが５００ｎｍ〜５６５ｎｍの範囲にある色要素であると定義され得る。青系の色要素３２ｂは、透過光の波長のピークが４１５ｎｍ〜４９５ｎｍの範囲にある色要素であると定義され得る。
【００８９】
（変形例３）
上記各実施形態における「正面視」は、図２２（ｂ）に示すように、有機ＥＬ装置１上の各点を素子基板１０の法線上のある一点から見ることであるが、これに代えて図２２（ａ）に示す方式の正面視として有機ＥＬ装置１の各要素を構成してもよい。この場合には、例えば色要素３２のＸ方向の配置ピッチは、画素４の配置ピッチの２倍に等しくなり、開口部４２Ａは、Ｚ方向から見て、Ｘ方向に隣り合う色要素３２の境界領域を含む領域に設けられる。
【００９０】
（変形例４）
上記各実施形態では、発光装置として有機ＥＬ装置１を用いた例を説明したが、これに限定する趣旨ではなく、例えばＰＤＰ（Plasma Display Panel）、ＳＥＤ（Surface-conduction Electron-emitter Display）、ＦＥＤ（Field Emission Display）等、発光素子を備えた種々の発光装置に適用することができる。
【００９１】
（変形例５）
上記実施形態では、画素４、色要素３２は、赤、緑、青の３色に対応するが、これに限定する趣旨ではなく、４色以上の画素４、色要素３２を備える構成としてもよい。４色の構成を採用した場合には、画素４、色要素３２は、例えば赤、緑、青の３色と、シアン、マジェンタ、白から選ばれる１色とからなる４色に対応する構成とすることができる。あるいは、波長に応じて色相が変化する可視光領域（３８０−７８０ｎｍ）のうち、青系の色、赤系の色、及び青から黄までの色相の中で選択された２種の色、とすることができる。ここで系と用いているが、例えば青系であれば純粋の青の色相に限定されるものでなく、青紫や青緑等を含むものである。赤系の色相であれば、赤に限定されるものでなく橙を含む。上記４色の構成とする場合には、このうちの３色が、第１の色、第２の色、第３の色に対応し、これらの色の光を射出する画素４がそれぞれ第１色画素、第２色画素、第３色画素に対応する。
【図面の簡単な説明】
【００９２】
【図１】第１の実施形態に係る発光装置としての有機ＥＬ装置の構成を示す斜視図。
【図２】図１中のＡ−Ａ線における断面図。
【図３】（ａ）は、表示領域における素子基板の平面図であり、（ｂ）は、表示領域におけるカラーフィルタ基板の平面図。
【図４】有機ＥＬ装置を、画素を含む位置でＸＺ平面に沿って切断したときの断面図。
【図５】青系画素による指向性表示の原理を示す模式図。
【図６】緑系画素による指向性表示の原理を示す模式図。
【図７】赤系画素による指向性表示の原理を示す模式図。
【図８】３色の画素から射出される光のうち表示に寄与する光の代表的な光路を示す模式図。
【図９】画素及びカラーフィルタを微視的に観察した場合の光の代表的な光路を示す模式図。
【図１０】（ａ），（ｂ）は、第１の実施形態の変形例に係る有機ＥＬ装置の断面図。
【図１１】図１０（ａ）の拡大図。
【図１２】第２の実施形態に係る発光装置としての有機ＥＬ装置の構成を示す斜視図。
【図１３】図１２中のＢ−Ｂ線における断面図。
【図１４】（ａ）から（ｃ）は、それぞれ表示領域における素子基板、マスク基板、カラーフィルタ基板の平面図。
【図１５】有機ＥＬ装置を、画素を含む位置でＸＺ平面に沿って切断したときの断面図。
【図１６】青系画素による指向性表示の原理を示す模式図。
【図１７】３色の画素から射出される光のうち表示に寄与する光の代表的な光路を示す模式図。
【図１８】画素及びカラーフィルタを微視的に観察した場合の光の代表的な光路を示す模式図。
【図１９】（ａ），（ｂ）は、第２の実施形態の変形例に係る有機ＥＬ装置の断面図。
【図２０】（ａ）から（ｃ）は、それぞれ第３の実施形態に係る有機ＥＬ装置の、表示領域における素子基板、マスク基板、カラーフィルタ基板の平面図。
【図２１】（ａ），（ｂ）は、図２０（ａ）中のＣ−Ｃ線、Ｄ−Ｄ線の位置における各画素からの光路を示す模式図。
【図２２】（ａ），（ｂ）は、正面視について説明するための模式図。
【図２３】電子機器としての表示装置の斜視図。
【符号の説明】
【００９３】
１…発光装置としての有機ＥＬ装置、３Ｌ…第１の範囲、３Ｒ…第２の範囲、４，４ｒ，４ｇ，４ｂ…画素、５…画素行、６…画素列、９…表示領域、１０…素子基板、１１，３１，４１…ガラス基板、１２…回路素子層、１３…バンク、１４…画素電極、１５…発光層、１６…陰極、１８…発光素子、１９…シール剤、２０…封止基板、２２…封止層、３０…カラーフィルタ基板、３２，３２ｒ，３２ｇ，３２ｂ…色要素、３３…カラーフィルタ、３４，４４…接着層、４０…マスク基板、４２…光学素子、４２Ａ…開口部、１００…電子機器としての表示装置、１１０…表示部、Ｌ…第１の画素、Ｒ…第２の画素。
【図１】
2009087622.tif 000003
【図２】
2009087622.tif 000004
【図３】
2009087622.tif 000005
【図４】
2009087622.tif 000006
【図５】
2009087622.tif 000007
【図６】
2009087622.tif 000008
【図７】
2009087622.tif 000009
【図８】
2009087622.tif 000010
【図９】
2009087622.tif 000011
【図１０】
2009087622.tif 000012
【図１１】
2009087622.tif 000013
【図１２】
2009087622.tif 000014
【図１３】
2009087622.tif 000015
【図１４】
2009087622.tif 000016
【図１５】
2009087622.tif 000017
【図１６】
2009087622.tif 000018
【図１７】
2009087622.tif 000019
【図１８】
2009087622.tif 000020
【図１９】
2009087622.tif 000021
【図２０】
2009087622.tif 000022
【図２１】
2009087622.tif 000023
【図２２】
2009087622.tif 000024
【図２３】
2009087622.tif 000025